(57)【要約】      （修正有）【課題】安価軽量で、簡単な構成でありながら、生地に孔を開設すると同時に取付けることができ、色はげや傷つきなどによる見栄えの劣化および金属アレルギ反応を防止できる樹脂リベットを提供する。【解決手段】色素を混入させた合成樹脂を用いて形成された略平板状の頭部２と、この頭部の裏面中心部から突設する略円柱形状の脚部３とを備えるリベット本体１Ａ、および、脚部を挿通する挿通孔４を備えたリベット座５を組み合わせて形成されるものであり、脚部はリベット座の略平面上の生地押圧部６によって生地７に押し付けられるときに生地を貫通できる程度に尖った先端部３Ａを有し、かつ、脚部の先端部が挿通孔を貫通した状態でかしめられた時に、挿通孔より大径の抜け止め部８を形成する程度に塑性変形するものである。【選択図】図３
0003195546.tif 000002
【実用新案登録請求の範囲】
【請求項１】
色素を混入させた合成樹脂を用いて形成された略平板状の頭部と、この頭部の裏面中心部から突設する略円柱形状である脚部とを備えるリベット本体、および、前記脚部を挿通する挿通孔を備えたリベット座を組み合わせて形成されるものであり、脚部は前記リベット座の略平面上の生地押圧部によって生地に押し付けられるときに生地を貫通できる程度に尖った先端部を有し、かつ、前記合成樹脂は脚部の先端部が前記挿通孔を貫通した状態でかしめられることにより挿通孔より大径の抜け止め部を形成する程度に塑性変形できるものであることを特徴とする樹脂リベット。
【請求項２】
前記頭部の裏面側に突出させた回転止め突部を備える請求項１に記載の樹脂リベット。
【請求項３】
前記生地押圧部はリベット座の生地当接面側に突出させて、前記抜け止め部を形成した状態で頭部の裏面側と生地押圧部の間に生地を挟持できるように構成してある請求項１または請求項２に記載の樹脂リベット。
【請求項４】
前記脚部の直径は２〜３ｍｍであり、前記先端部はなめらかに拡径する三次元曲面を有するものであり、かつ、挿通孔は前記脚部の直径と同径または０．１〜０．２ｍｍ大きな直径の孔である請求項１〜請求項３のいずれかに記載の樹脂リベット。
【請求項５】
前記生地は厚地の綿織物であり、前記樹脂リベットは、前記頭部を支持する第１押さえ具と、リベット座を支持する第２押さえ具と、これらの第１押さえ具および第２押さえ具によって生地を脚部の先端部に押さえつけて前記脚部の先端部を生地に貫通させた状態でこの脚部の先端部に塑性変形できる程度の力を加える第３押さえ具とを備えた取付け加工機を用いて生地に取付けられるものである請求項１〜請求項４の何れかに記載の樹脂リベット。
【考案の詳細な説明】
【技術分野】
【０００１】
本考案は、衣服などの生地に取付けられるリベットであり、特に装飾性に優れた樹脂リベットに関するものである。
【背景技術】
【０００２】
衣服などの生地の接合部を止めるため、あるいはワンポイントの装飾を施すために、リベットを生地に取付けることがある。
【０００３】
図６は従来のリベット９０の構成を示す図である。図６に示すように、リベット９０は例えばアルミニウムのような比較的柔らかい金属からなる頭部９１とこれに連接する脚部９２とを備えるリベット本体９３、および、生地９４を貫通する脚部９２を収容する袋部材９５を備えた銅などの比較的硬い金属からなるリベット座９６を組み合わせて形成されるものである。なお、脚部９２の直径はその材質が１〜２ｍｍ程度であることにより、生地９４を貫通しやすく十分な強度を得ることができる。
【０００４】
このリベット９０はリベット本体９３とリベット座９６との間に生地９４を介在させてリベット座９６をリベット本体９３に押圧することにより、脚部９２は生地９４を貫通して袋部材９５内に導入され、袋部材９５内において行き場を失った脚部９２を袋部材９５によってかしめて拡径部を形成することにより抜け止めすることができる。前記リベット９０の押圧による変形を容易とするための治具も種々考案されており、迅速に十分な押圧力を加えるための機械も実用化されるに至っている。
【０００５】
また、近年はリベット９０を装飾のために取付けることも行なわれており、その表面にワンポイントをつけるための着色を施すことも行なわれている。一例として、符号９１Ａに示すように、前記頭部９１の表面を覆うようにカバーを設けることにより、リベット９０に着色を施したり、絵柄を形成することが行なわれる。あるいは、頭部９１に塗装を施したり、メッキ加工を施すことも行なわれている。
【先行技術文献】
【特許文献】
【０００６】
【特許文献１】特開２００３−１７２３２６号公報
【考案の概要】
【考案が解決しようとする課題】
【０００７】
しかしながら、金属からなるリベット９０はいずれも比重が大きく、重量感があるだけでなく、高価であるという問題がある。とりわけ、アルミニウムは希少価値が高まっており入手困難である。袋部材９５はリベット９０を構成するアルミニウムよりは硬い金属である銅などからなるものであるが、薄く形成されるので、アルミニウムの脚部９２をかしめるのに十分な強度を備えることが難しく、押圧力を加えたときに袋部材９５が破れるなどの不良が発生する可能性があった。
【０００８】
さらには、リベット９０にカバー９１Ａを取付けている場合には、リベット９０をかしめる押圧力を加えるときに、カバー９１Ａを傷つけたり破損させることがあり、これによって見栄えが悪くなるという問題もあった。このため、リベット９０の表面にメッキ加工を施したり、塗装を施すこともあるが、メッキによって選択できる色や風合いには限りがあり、自由なデザインを選ぶことができないという問題がある。また、塗装を施す場合には強い力が加わるときに剥がれたり傷が付いてしまうことがあった。このため、従来のリベット９０は加工後に不良が発生していないかどうか確認する必要があった。
【０００９】
上記の問題に加えて、金属からなるリベット９０は使用者によっては金属アレルギー反応を起こす可能性があった。
【００１０】
そこで、従来より金属のリベットに代えて樹脂によって形成されるリベットも考案されるに至っており、特許文献１には脚部を円筒状に形成したリベットを傾き（芯ずれ）や座屈を起こすことなくかしめることができるかしめ方法やパンチが記載されている。
【００１１】
しかしながら、このような樹脂リベットは取付け対象となる生地に予め締結孔が空いていることを前提としているものであり、この締結孔の開設に別途の手間がかかることは避けられなかった。
【００１２】
本考案は上述の事柄を考慮に入れてなされたものであり、安価にて形成できる簡単で軽量な構成でありながら、生地に孔を開設すると同時に取付けることができ、色はげや傷つきなどによる見栄えの劣化および金属アレルギー反応を防止できる樹脂リベットを提供することを課題とする。
【課題を解決するための手段】
【００１３】
本考案は、色素を混入させた合成樹脂を用いて形成された略平板状の頭部と、この頭部の裏面中心部から突設する略円柱形状である脚部とを備えるリベット本体、および、前記脚部を挿通する挿通孔を備えたリベット座を組み合わせて形成されるものであり、脚部は前記リベット座の略平面上の生地押圧部によって生地に押し付けられるときに生地を貫通できる程度に尖った先端部を有し、かつ、前記合成樹脂は脚部の先端部が前記挿通孔を貫通した状態でかしめられることにより挿通孔より大径の抜け止め部を形成する程度に塑性変形できるものであることを特徴とする樹脂リベットを提供する。（請求項１）
【００１４】
前記構成によれば、合成樹脂自体に色素が混入されているので、混入させる色素を自在に選んで樹脂リベットに任意の着色を施すことができる。また、リベット本体を構成する樹脂そのものが着色されているので、塗装部、メッキ部、着色を施したカバー等の装飾部を設ける必要がなく、樹脂リベットをかしめるときに部分的に過大な力が加わったとしても、破損の原因となる部分がない。
【００１５】
また、生地に下孔を設けなくても尖った脚部の先端部がリベット座の生地押圧部によって生地に押しつけられ、生地の目合いに差し込まれて目合いを押し広げることにより生地を貫通し、貫通した脚部をリベット座の挿通孔に挿通させることができる。次いで、挿通孔を貫通する脚部は抜け止め部を形成する程度の塑性変形できるものであるから、生地から樹脂リベットが脱落することを確実に防止できる。
【００１６】
なお、樹脂リベットを構成する合成樹脂は例えばポリアセタールからなることが好ましいが、脚部の尖った先端部が生地の目合いに差し込まれてこれを広げることにより、生地を貫通させ得る強度と、貫通後の脚部をかしめて塑性変形させ得る柔軟性を兼ね備えた合成樹脂であれば用いることができる。
【００１７】
前記頭部の裏面側に突出させた回転止め突部を備える場合（請求項２）には、樹脂リベットの取り付け状態で回転止め突部が生地に当たることにより、生地に対する樹脂リベットの回転を防止することができ、安定感が向上する。なお、回転止め突部は頭部の外周部より内側に配置することにより、生地に取り付けた樹脂リベットはその頭部の外周から見えない位置においてその回転を止めることができる。
【００１８】
前記生地押圧部はリベット座の生地当接面側に突出させて形成してある場合（請求項３）には、脚部を生地に貫通させるときに、先に、リベット座の生地押圧部が生地に押し当てられ、より強い力で生地を挟み込むことができ、これによって中心の位置ずれを防止してまっすぐに取り付けることができる。
【００１９】
前記脚部の直径は２〜３ｍｍであり、前記先端部はなめらかに拡径する三次元曲面を有するものであり、かつ、挿通孔は前記脚部の直径と同径または０．１〜０．２ｍｍ大きな直径の孔である場合（請求項４）には、脚部先端部によって生地の目合いを徐々に広げて、折れることなく生地を突き抜けることができる。また、リベット座はその挿通孔によって脚部をガイドでき、抜け止め部による抜け止めを確実に行うことも可能となる。
【００２０】
前記生地は厚地の綿織物であり、前記樹脂リベットは、前記頭部を支持する第１押さえ具と、リベット座を支持する第２押さえ具と、これらの第１押さえ具および第２押さえ具によって生地を脚部の先端部に押さえつけて前記脚部の先端部を生地に貫通させた状態でこの脚部の先端部に塑性変形できる程度の力を加える第３押さえ具とを備えた取付け加工機を用いて生地に取付けられるものである場合（請求項５）には、デニム生地などの厚地の綿織物に脚部を貫通させるのに必要な力を第１押さえ具と第２押さえ具によって容易に加えることができ、かつ、第３押さえ具によって脚部の先端に過大な力を瞬発的に加えて圧力を高めることにより脚部の先端部を部分的に加熱・溶着することによりこれを塑性変形させて瞬時にかしめることができる。
【考案の効果】
【００２１】
前述したように、本考案によれば、自在に選択された色の合成樹脂を用いて樹脂リベットを作成できるので、自由度があがるためファッション性が向上する。また、樹脂は金属に比べて軽量で安価にて製造できるだけでなく、樹脂型によって容易に大量生産でき、利点がある。加えて、樹脂からなる樹脂リベットは金属アレルギーの心配がない。脚部は尖った先端部が生地を貫通できる程度の強度を備えると共に、先端部が前記挿通孔を貫通した状態でかしめられることにより挿通孔より大径の抜け止め部を形成する程度に塑性変形できるものであるから、不良の発生が少なく生産性がよい。
【００２２】
また、回転止め突部を設けることにより取付け時の安定性を向上できる。脚部の直径は２〜３ｍｍで先端部がなめらかに拡径する三次元曲面であることにより、脚部を破損することなく生地を確実に貫通させることができる強度を得ることができる。また、脚部と同径または０．１〜０．２ｍｍ大きな直径の挿通孔を有するリベット座は樹脂リベットの打設を安定して行なう助けになる。
【００２３】
加えて、第１押さえ具〜第３押さえ具は、樹脂リベットの打設を容易かつ確実に行なうものであるから、デニム生地のような厚地の綿織物にも容易に樹脂リベットを打設することができる。
【図面の簡単な説明】
【００２４】
【図１】本考案の実施形態に係る樹脂リベットの全体構成を示す側面図である。
【図２】前記樹脂リベットの構成を示す斜視図である。
【図３】前記樹脂リベットの打ち付け方法を説明する図である。
【図４】第２実施形態の樹脂リベットの構成を示す側面図である。
【図５】前記樹脂リベットを生地に打ち付けた状態を示す断面図である。
【図６】従来のリベットの構成を示す図である
【考案を実施するための形態】
【００２５】
以下、図１〜図３を用いて、本考案の第１実施形態に係る樹脂リベット１の構成および樹脂リベット１の打ち付け方法を説明する。
【００２６】
図１〜図３に示す樹脂リベット１は、色素を混入させた合成樹脂を用いて形成された略平板状の頭部２と、この頭部２の裏面中心部から突設する略円柱形状である脚部３とを備えるリベット本体１Ａ、および、前記脚部３を挿通する挿通孔４を備えたリベット座５を組み合わせて形成されるものであり、脚部３は前記リベット座５の略平面上の生地押圧部６によって生地７に押し付けられるときに生地７を貫通できる程度に尖った先端部３Ａを有し、かつ、前記合成樹脂は脚部３の先端部３Ａが前記挿通孔４を貫通した状態でかしめられることにより挿通孔より大径の抜け止め部８を形成する程度に塑性変形できるものである。
【００２７】
前記頭部２は例えばその平面視形状が直径６〜１５ｍｍ程度の円形の略円盤形状であり、その表面側には僅かに突出する曲面２Ａを形成し、頭部２の裏面側の外周部には環状の凸部２Ｂを形成しており、その中心部から前記脚部３が一体成形されている。なお、前記曲面２Ａには装飾となる絵柄を彫り込んだような凹凸が形成されててもよい。
【００２８】
前記頭部２と脚部３は好ましくはポリアセタールを基本とする樹脂に色素を混入させたものを射出成形によって一体成形したものである。樹脂に混入させる色素はデザインに合わせて自在に選択でき、従来のアルミニウムや銅のような光沢を得られるものであっても、生地７の色に合わせて選択され任意の色を有するものであってもよい。なお、頭部２および脚部３を構成する樹脂はポリアセタールに代えてナイロンなどの必要十分な強度を得得するものであってもよい。
【００２９】
脚部３の先端部は生地７の目合いに入り込むことができる程度に尖って形成されており、この先端部３Ａから滑らかに拡径する三次元曲面を有するものである。三次元曲面を有する脚部３の表面は生地７の押し付けによって容易に変形することがなく、生地７の目合いを徐々に広げて生地７を貫通することができる。脚部３の直径は２〜３ｍｍであることが樹脂リベット１としての機能を果たすために好ましく、最適は２．３ｍｍ程度（±０．１ｍｍ程度）に成形されていることにより、生地７がデニム生地のような厚地の綿織物であっても、これを貫通することができる強度を備え、かつ、生地７を押し当てるだけで生地７に脚部３を貫通させることが可能となる。
【００３０】
挿通孔４は前記脚部３の直径と同径か０．１〜０．２ｍｍ程度大きく形成することにより、脚部３を挿通孔４内に挿通させるときに横ブレを防止できる。なお、樹脂の成形には０．１ｍｍ程度の誤差が発生するものであるが、脚部３の直径と同径か０．１〜０．２ｍｍ程度大きく形成された挿通孔４は脚部３を遊びなく挿通させるのに適している。したがって、前記樹脂リベット１を生地７に打ち込むときに、リベット座５を生地７の反対側に配置することにより挿通孔４が脚部３を正しくガイドして、脚部３の座屈を防止できる。
【００３１】
リベット座５は前記頭部２および脚部３と同じポリアセタールからなることが好ましく、その色は任意に選択できるが、例えば頭部２および脚部３と同じ色である。前記生地押圧部６はリベット座５の生地当接面５Ａ側に突出させるように、前記挿通孔４と同心円状に段部を設けて形成されるものであり、この段部によって生地押圧部６の反対側には円形の凹部５Ｂを形成する。
【００３２】
前記生地７は例えばデニム生地などの厚地の綿織物からなる生地７Ａ，７Ｂを重ねたものであり、本実施形態の樹脂リベット１は２枚重ねのデニム生地７Ａ，７Ｂを貫通できる程度の強度を備えるものである。
【００３３】
前記抜け止め部８は挿通孔４を貫通する脚部３の先端部３Ａを押しつぶすことによりかしめて形成されるものであり、本実施形態では前記凹部５Ｂ内で脚部３の先端部３Ａがかしめられるので、抜け止め部８は凹部５Ｂ内をはみ出さない程度の大きさで形成される。
【００３４】
図３は樹脂リベット１を生地７（７Ａ，７Ｂ）に打ち込む工程を示す図であり、図３（Ａ）は生地７に打ち込む前の状態を示す図、図３（Ｂ）は生地７に打ち込む途中の工程を示す図、図３（Ｃ）は生地７に樹脂リベット１を打ち込んだあとの状況を示す図である。なお、本実施形態においては、前記頭部２を支持する第１押さえ具１０Ａと、リベット座５を支持する第２押さえ具１０Ｂと、これらの第１押さえ具および第２押さえ具１０Ｂによって生地７を脚部３の先端部３Ａに押さえつけて前記脚部３の先端部３Ａを生地７に貫通させた状態でこの脚部３の先端部３Ａに塑性変形できる程度の力を加える第３押さえ具１０Ｃとを備えた取付け加工機１０を用いて、樹脂リベット１を生地７に取付けられる例を示している。
【００３５】
前記第１押さえ具１０Ａは樹脂リベット１の頭部２を下にしておくことにより、その曲面２Ａに当接する凹部１０ａを形成してなる台状の治具であり、第２押さえ具１０Ｂはリベット座５の生地当接面５Ａを下側にした状態でリベット座５を嵌合可能な凹部１０ｂを備え、前記凹部５Ｂと同径程度の内径を有する略円筒状の治具であり、第３押さえ具１０Ｃは第２押さえ具１０Ｂ内に摺動可能に構成され、下面に粗面部１０ｃを備えた治具である。
【００３６】
図３（Ａ）に示すように、第１押さえ具１０Ａに頭部２をセットし、第２押さえ具１０Ｂにリベット座５をセットして、樹脂リベット１とリベット座５の間に生地７を介在させる。このとき樹脂リベット１の先端部３Ａの延長線上に挿通孔４が配置されている。
【００３７】
次に、図３（Ｂ）に示すように、第２押さえ具１０Ｂをまっすぐ下方に移動させると、リベット座５の生地当接面側に突出させて形成された生地押圧部６が生地７に当接し、生地７を樹脂リベット１の先端部３Ａに押し当てることができる。そして、さらに力を加え続けるとその力がすべて生地押圧部６を介して生地７に伝わり、脚部３の先端部３Ａが生地７の目合いに入ってこれを押し広げることができ、生地７を貫通させて挿通孔４を貫通させることができる。
【００３８】
このとき、脚部３は挿通孔４にガイドされた状態でこれを貫通するので、横方向の力が加わることがなく、脚部３の座屈を防止できる。また、第２押さえ具１０Ｂによってさらに生地７を押し下げて樹脂リベット１の頭部２の裏側に当接するようになると、第２押さえ具１０Ｂよりも強い力で第３押さえ具１０Ｃが下方に押し下げられる。
【００３９】
図３（Ｃ）は第３押さえ具１０Ｃが最後まで押し下げられた状態を示す図であって、第３押さえ具１０Ｃによって加えられる力によって、脚部３の先端部３Ａに過大な圧力が発生し、これによって部分的に高熱が発生して塑性変形を引き起こし、凹部５Ｂ内において拡径された抜け止め部８を形成する。この抜け止め部８が形成されることにより、リベット座５は生地７を挟んだ状態で樹脂リベット１に密着するので、樹脂リベット１は外れることがない。
【００４０】
上述のように取付け加工機１０を用いることにより、比較的力を必要とする樹脂リベット１の取り付けを簡単に行なうことができるだけでなく、樹脂リベット１とリベット座５の位置関係を安定した状態で樹脂リベット１の打ち込みを行なうことができるので、不良の発生をさらに小さくすることができる。
【００４１】
図４，５は本考案の第２実施形態である樹脂リベット１’の構成を示し、図４はそのリベット本体１Ａの側面図、図５はリベット本体１Ａをリベット座５と組み合わせて生地７に取付けた状態を示す断面図である。なお、図４，５において第１実施形態の樹脂リベット１と異なる点は回転止め突部９を設けた点であり、前記樹脂リベット１と同一の符号を付した部材は同一または同等の部材であるから、その詳細な説明を省略する。
【００４２】
前記回転止め突起９は頭部３の裏側面で前記環状の凸部２Ｂより内側部分に略三角錐をとなるように突出させて形成したものであり、脚部３を中心に等間隔に複数設けてある。本実施形態のように回転止め突部９を設けることにより樹脂リベット１’の取り付け状態で回転止め突部９が生地７に突き刺さることにより、生地７に対する樹脂リベット１’の回転を防止することができ、安定感が向上する。なお、回転止め突部９は頭部３の外周部より内側に配置されているので、生地７に取り付けた樹脂リベット１’はその頭部３の外周から見えない位置においてその回転を止めることができ、見栄えがよい。
【００４３】
しかしながら、回転止め突部９はリベット座５側に例えば前記生地押圧部６に設けても、リベット座５とリベット本体１Ａの両方に設けてもよい。回転止め突部９の形状も生地７に刺さりやすい円錐形状のみならず、三角錐、四角錐などの多角錐形状であっても、脚部３から放射線状に伸びたリブであってもよい。
【符号の説明】
【００４４】
１，１’  樹脂リベット
１Ａ  リベット本体
２  頭部
３  脚部
３Ａ  先端部
４  挿通孔
５  リベット座
６  生地押圧部
７  生地
８  抜け止め部
９  回転止め突起
１０  加工機
１０Ａ〜１０Ｃ  押さえ具
【図１】
0003195546.tif 000003
【図２】
0003195546.tif 000004
【図３】
0003195546.tif 000005
【図４】
0003195546.tif 000006
【図５】
0003195546.tif 000007
【図６】
0003195546.tif 000008